(57)【要約】【課題】  インデックスプリントは、縮小処理された画質の荒い（低画質の）画像が配置されているものであり、手振れなどによるピンボケ具合を判断することが困難である。【解決手段】  本発明は、デジタル画像データを取得する取得手段３２と、取得されたデジタル画像データを格納する格納手段３３を有する端末３０と、デジタル画像データを読み出し、当該デジタル画像データを縮小処理してインデックスプリントを作成するインデックスプリント作成手段１１ａを有する写真処理装置１０とを具備する写真プリントシステムであって、インデックスプリント作成手段１１ａは、縮小処理をしたデジタル画像データに基づくプリントの第1プリント領域と、当該縮小処理をしたデジタル画像データの画質よりも高画質のデジタル画像データに基づくプリントの第２プリント領域を構成するようにインデックスプリントを作成する。【選択図】図１
2007026166.tif 000002
【特許請求の範囲】
【請求項１】
デジタル画像データを取得する取得手段と、前記取得されたデジタル画像データを格納する格納手段を有する端末と、
前記デジタル画像データに基づいて写真プリントを作成するプリント作成手段を有する写真処理装置とを具備する写真プリントシステムであって、
写真プリントシステムは、
前記デジタル画像データを読み出し、当該デジタル画像データを縮小処理してインデックスプリントを作成するインデックスプリント作成手段を有し、
前記インデックスプリント作成手段は、
縮小処理をしたデジタル画像データに基づくプリントの第1プリント領域と、当該縮小処理をしたデジタル画像データの画質よりも高画質のデジタル画像データに基づくプリントの第２プリント領域を構成するようにインデックスプリントを作成する写真プリントシステム。
【請求項２】
前記プリント作成手段は、
インデックスプリント作成後、インデックスプリントに基づいて注文された写真プリントを作成し、
前記端末は、
前記写真プリントが作成された後に、前記格納手段に格納されたデジタル画像データの内、同一オーダー内のデジタル画像データを削除する制御手段を有する請求項１に記載の写真プリントシステム。
【請求項３】
前記第２プリント領域にプリントされる画像は、
前記取得したデジタル画像データの一部である請求項１又は請求項２に記載の写真プリントシステム。
【請求項４】
前記取得したデジタル画像データの一部は、
デジタル画像データの中心部である請求項３に記載の写真プリントシステム。
【請求項５】
前記取得したデジタル画像データの一部は、
デジタル画像データ内の人物の顔部である請求項３に記載の写真プリントシステム。
【請求項６】
前記高画質のデジタル画像データの画質は、
前記取得したデジタル画像データの画質と同じであることを特徴とする請求項１から請求項５のいずれか１項に記載の写真プリントシステム。
【請求項７】
デジタル画像データを取得する取得手段と、前記取得されたデジタル画像データを格納する格納手段と、
前記格納されたデジタル画像データを読み出し、当該デジタル画像データを縮小処理してインデックスプリントを作成するインデックスプリント作成手段を有する写真処理装置であって、
前記インデックスプリント作成手段は、
縮小処理をしたデジタル画像データに基づくプリントの第1プリント領域と、当該縮小処理をしたデジタル画像データの画質よりも高画質のデジタル画像データに基づくプリントの第２プリント領域を構成するようにインデックスプリントを作成する写真処理装置。
【発明の詳細な説明】
【技術分野】
【０００１】
本発明は、インデックスプリントに基づいて写真プリントの注文を受け付ける写真プリントシステムに関する。
【背景技術】
【０００２】
デジタル画像データの写真プリントを注文する場合に、注文者は、デジタル画像データを保存しているメディアを受付端末機に挿入し、メディアから当該端末機にデジタル画像データを読み出させ、受付端末機は、このデジタル画像データを写真処理装置に転送し、写真処理装置は、このデジタル画像データに基づいてインデックスプリントを作成する。そして、注文者は、そのインデックスプリントから判断して、所望の写真プリント及びその枚数等を選択し、写真処理装置によって、その所望の写真プリントを作成する注文方法が公知である。この注文方法によれば、インデックスプリントを判断材料として所望の写真プリントのみを選択でき、不必要な写真プリントを作成しなくて済むと共に、受付端末機での注文処理時間を短縮できるから、次の注文者を長時間待たせないという利点がある。
【０００３】
また、医療用画像であって、画面上にインデックス画像を表示させると共に、現画像または拡大画像を表示するように構成した医療用画像再生装置が公知である（特許文献１参照）。この医療用画像再生装置は、インデックス画像を一つ選択すると、選択された画像を基準に、それ以降の画像を所定枚数表示するものである。
【０００４】
【特許文献１】特開２０００−１５５７８８号公報
【発明の開示】
【発明が解決しようとする課題】
【０００５】
しかしながら、インデックスプリントに基づいて写真プリントを注文する方法は、上述したメリットがあるものの、インデックスプリントは、縮小処理された画質の荒い（低画質の）画像が配置されているものであり、手振れなどによるピンボケ具合を判断することが困難である。そして、ピンボケ具合が大きいと、せっかく写真プリントしても注文者は、不必要なものを注文してしまったと後悔し、その後、デジタル画像データから写真プリント注文することを躊躇しかねない。また、インデックスプリントさせずに、受付端末機での注文操作で、デジタル画像データを表示させ、写真プリントする画像を選択することは可能であるが、受付端末機での注文処理時間が長時間に及び、その結果、次に並ぶ注文者を長時間待たせることになるという問題が生じる。
【課題を解決するための手段】
【０００６】
上記の課題を解決するために、本発明の写真プリントシステムは、デジタル画像データを取得する取得手段と、取得されたデジタル画像データを格納する格納手段を有する端末と、デジタル画像データに基づいて写真プリントを作成するプリント作成手段を有する写真処理装置とを具備する写真プリントシステムであって、写真プリントシステムは、デジタル画像データを読み出し、当該デジタル画像データを縮小処理してインデックスプリントを作成するインデックスプリント作成手段を有し、インデックスプリント作成手段は、縮小処理をしたデジタル画像データに基づくプリントの第1プリント領域と、当該縮小処理をしたデジタル画像データの画質よりも高画質のデジタル画像データに基づくプリントの第２プリント領域を構成するようにインデックスプリントを作成することを特徴とする。
【０００７】
以上の構成によれば、写真プリントシステムは、端末で受け付けたデジタル画像データのインデックスプリントを作成する場合に、縮小処理したデジタル画像データのプリントと、当該縮小処理したデジタル画像データの画質よりも高画質のデジタル画像データのプリントとを含ませるようにインデックスプリントを作成する。この結果、注文者は、このインデックスプリントから、ピンボケ具合を考慮して、所望の写真プリントを選択することが可能になる。
【０００８】
また、他の本発明の写真プリントシステムは、プリント作成手段が、インデックスプリント作成後、インデックスプリントに基づいて注文された写真プリントを作成し、端末は、写真プリントが作成された後に、格納手段に格納されたデジタル画像データの内、同一オーダー内のデジタル画像データを削除する制御手段を有することを特徴とする。
【０００９】
以上の構成によれば、インデックスプリントに基づいて写真プリントを作成し、その後、端末の格納手段に格納された、同一オーダー内のデジタル画像データを削除できる。その結果、インデックスプリントから、ピンボケ具合を確認して、所望の写真プリントのみ作成でき、そして、その作成後に不要となったデジタル画像データを削除して、格納手段の格納領域を確保することができる。
【００１０】
また、他の本発明の写真プリントシステムは、第２プリント領域にプリントされる画像が、取得したデジタル画像データの一部であることを特徴とする。
【００１１】
以上の構成によれば、インデックスプリントの第２プリント領域には、端末によって取得されたデジタル画像データの一部がプリントされるので、ピンボケ具合を確認することが可能になる。デジタル画像データの一部は、特に限定されないが、上部、下部、端部、コーナー部等が例示される。また、一部は、デジタル画像データ中の複数の部分を組み合わせたものであっても良い。
【００１２】
また、他の本発明の写真プリントシステムは、取得したデジタル画像データの一部が、デジタル画像データの中心部であることを特徴とする。
【００１３】
以上の構成によれば、端末によって取得されたデジタル画像データの一部をデジタル画像データの中心部にすることで、好適にピンボケ具合を確認できる。通常、デジタル画像データの中心部は、主の被写体の中心部が位置することが多いからである。
【００１４】
また、他の本発明の写真プリントシステムは、取得したデジタル画像データの一部が、デジタル画像データ内の人物の顔部であることを特徴とする。
【００１５】
以上の構成によれば、デジタル画像データに人物の顔部が含まれていれば、その顔部を第２プリント領域にプリントする。通常、人物が含まれているデジタル画像データを写真プリントするか否かを判断する場合に、人物以外の被写体よりも人物のピンボケ具合を重視するからである。
【００１６】
また、他の本発明の写真プリントシステムは、高画質のデジタル画像データの画質が、取得したデジタル画像データの画質と同じであることを特徴とする。
【００１７】
以上の構成によれば、第２プリント領域にプリントされるデジタル画像データを、端末で取得されたデジタル画像データと同じものに、即ち、縮小処理も拡大処理もなされていないものに構成できる。この結果、ピンボケ具合を確実に判断できる。
【００１８】
また、他の本発明は、デジタル画像データを取得する取得手段と、取得されたデジタル画像データを格納する格納手段と、格納されたデジタル画像データを読み出し、当該デジタル画像データを縮小処理してインデックスプリントを作成するインデックスプリント作成手段を有する写真処理装置であって、インデックスプリント作成手段は、縮小処理をしたデジタル画像データに基づくプリントの第1プリント領域と、当該縮小処理をしたデジタル画像データの画質よりも高画質のデジタル画像データに基づくプリントの第２プリント領域を構成するようにインデックスプリントを作成することを特徴とする。
【００１９】
上記の写真処理装置の作用効果は、上記の写真プリントシステムで説明した作用効果と同様である。
【発明を実施するための最良の形態】
【００２０】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００２１】
（実施の形態１）
＜写真プリントシステムの構成＞
図１は、本実施の形態における写真プリントシステムを構成する画像処理装置１０及び端末３０の構成を示すブロック図である。
【００２２】
画像処理装置１０は、例えば、フィルムスキャン処理、プレジャッジ処理、画像処理、露光処理、現像処理、乾燥処理、仕分け処理（不図示）等の機能を発揮するための各手段を有する。
【００２３】
画像処理装置１０は、例えば、装置制御部１１、インデックスプリント作成手段１１ａ、プリント作成手段１１ｂ、プレジャッジ手段１１ｃ、フィルムスキャン装置１２、格納部１３、ハードディスク１４、画像処理手段１５、露光処理手段１６、現像処理手段１７、乾燥処理手段１８、コンベア式仕分け装置（不図示）、通信部１９、マガジン収納部２０、表示部２１、入力手段２２、その他の必要な構成要素等を有する。なお、画像処理装置１０は、画像データが保存されるメディアを読み取る手段（不図示）を有してもよい。
【００２４】
本発明の画像処理装置１０の主な構成は、従来技術であるので簡単に説明する。
【００２５】
装置制御部１１は、画像処理装置１０の各構成要素を制御して装置全体の動作を制御する。装置制御部１１は、通常、ソフトウェアで構成され、かかるソフトウェアは、画像処理装置１０のＣＰＵ（不図示）やメモリ（不図示）等のハードウエア資源を用いて動作する。当該ソフトウェアはＲＯＭ等の記録媒体に記録されているが、画像処理装置１０に接続された外部装置（不図示）からダウンロードすることも可能である。なお、当該ソフトウェアは、ファームウエアや専用回路で構成することもでき、それらを組み合わせて、装置制御部１１の機能を構成できる。装置制御部１１は、機能単位（モジュール）として、例えば、インデックスプリント作成手段１１ａ、プリント作成手段１１ｂ及びプレジャッジ手段１１ｃ等を有する。
【００２６】
フィルムスキャン装置１２は、ネガフィルムから画像データを読み取る。フィルムスキャン装置１２は、従来公知の装置が適用できる。プレジャッジ処理用のプレスキャンニングと露光処理用の本スキャンニングとの２種類の動作モードを有し、プレスキャンニングは、画質を下げて画像データを読み取ることができる。
【００２７】
格納部１３は、フィルムスキャン装置１２によって読み取られた画像データを一時的に格納するための記録媒体であり、例えば、ＳＤＲＡＭ、ＥＥＰＲＯＭ等が例示される。
【００２８】
プレジャッジ手段１１ｃは、プレジャッジ処理するための手段である。ここで「プレジャッジ処理」とは、後述する表示部２１の画面に表示させた画像データに対して、色や濃度等の補正データを後述する入力手段２２を用いて入力し、この補正データに基づいて画像データを画像処理して表示させ、色・濃度等が適切か否かをオペレータによって判断する処理である。なお、プレジャッジ処理をせずに露光処理に移行する場合もあり、プレジャッジ処理の有無は適宜選択可能である。プレジャッジ手段１１ｃは、格納部１３から画像データを読み出し、サムネイル処理（縮小処理）して表示部２１に表示させ、オペレータによって入力された補正データに基づいて画像データを画像処理して、表示部２１に表示する。
【００２９】
ハードディスク１４は、プレジャッジ処理後に決定された補正データ及びそれに対応する新たに読み取られた画像データ（本スキャンニングされた画像データ）を対にして蓄積するためのハードディスクである。
【００３０】
画像処理手段１５は、ハードディスク１４から画像データ及びそれに対の補正データを読み出し、補正データに基づく画像処理をし、露光用画像データを作成する。画像処理手段１５は、例えば、Ｉ／Ｏインターフェース、バッファメモリ、画像処理機能のソフトウェアを組み込んだファームウエア等で実現できる。
【００３１】
露光処理手段１６は、例えば、デジタル式の露光エンジンを備え、露光用画像データに基づいて、写真感光材料の乳剤面に画像を走査露光する機能を有する。露光エンジンとしては、レーザーエンジン、ＰＬＺＴエンジン、ＣＲＴエンジン等の従来技術で実現できる。画像が焼付露光された写真感光材料は、搬送機構を有する搬送手段によって、現像処理手段１７に送られる。
【００３２】
現像処理手段１７は、画像が焼付露光された写真感光材料を現像処理する。写真感光材料は、現像処理後、搬送手段によって乾燥処理手段１８に送られる。乾燥処理手段１８は、現像処理された写真感光材料を乾燥処理する。写真感光材料は、乾燥処理後、搬送手段によって排出部に送られる。現像処理手段１７及び乾燥処理手段１８は、適宜従来技術を適用できる。
【００３３】
通信部１９は、端末３０の端末通信部３５とデータの送受信を行う。また、通信部１９は、外部の装置とインターネットを介してデータの送受信を行うこともできる。通信部１９は、従来の通信手段で実現可能であり、通信とは、無線通信、有線通信をも含む概念である。
【００３４】
マガジン収納部２０は、写真感光材料のペーパーがロール上に巻かれて収納されたペーパーマガジンを収納している。写真感光材料は、ペーパーマガジンから引き出され、搬送手段によって露光処理手段１６に送られる。なお、マガジン収納部２０は、１以上のペーパーマガジンを収納可能である。
【００３５】
表示部２１は、画像データを表示可能であり、また装置の各種設定やプレジャッジ処理における操作内容を表示する。表示部２１は、通常、液晶ディスプレイで構成されるが、有機ＥＬディスプレイやタッチパネル、ＣＲＴモニター等で構成することもできる。
【００３６】
入力手段２２は、オペレータによる入力指示を受け付けるための入力インターフェースであり、例えば、キーボード、マウス、タッチパネル及びそれらの各々に対応するドライバーソフト等で実現できる。
【００３７】
インデックスプリント作成手段１１ａは、端末３０から通信部１９が受信したデジタル画像データに基づいて、インデックスプリントを作成する。このインデックスプリントには、縮小処理した画像を配置した第１プリント領域と、その縮小処理した画像の画質よりも高画質の画像を配置した第２プリント領域を設けてある。ここで、「縮小処理」は、デジタル画像データの画質を荒くする処理であって、例えば、解像度を下げる処理、データの間引き処理等が例示される。「縮小処理」は、サムネイル処理ともいう。また、「高画質」とは、縮小処理した画質のものよりも画質が良いことを意味し、端末３０で取得したデジタル画像データの画質が、最良の画質である。
【００３８】
第１プリント領域と第２プリント領域は、通常、同じ大きさのサイズを採用するが、特にこれに限定されず、異なる大きさのサイズを設定することもできる。なお、サイズは、インデックスプリントのサイズとコマ画像の数量によって適宜設定される。
【００３９】
第２プリント領域には、インデックスプリントの面積が限られているため、デジタル画像データの一部を適宜選択してプリントされる。「デジタル画像データの一部」は、特に限定されないが、例えば、端部よりも中心部を選択するほうが望ましい。さらに、人物の顔部が含まれる画像であれば、顔部を選択することが望ましい態様である。人物の顔部の領域判断は、従来技術の顔部判別可能な手法を適宜採用できる。
【００４０】
プリント作成手段１１ｂは、インデックスプリントに基づいて注文された写真プリントを作成する。
【００４１】
以下に、端末３０の構成について説明する。端末３０は、例えば、端末３０の全体動作及び端末の構成要素の動作を制御する制御手段３１、デジタル画像データを記憶しているメディアからデジタル画像データを取得する取得手段３２、デジタル画像データ及び注文情報等を格納する格納手段３３、表示手段３４、画像処理装置１０とデータ通信を行う端末通信部３５を有する構成である。なお、図示しないが、入力手段を有する構成でもよい。
【００４２】
制御手段３１は、写真プリントの注文受付動作を制御する。注文動作は、後述する。制御手段３１は、通常、ソフトウェアで構成され、かかるソフトウェアは、端末３０のＣＰＵ（不図示）やメモリ（不図示）等のハードウエア資源を用いて動作する。
【００４３】
取得手段３２は、各種メディアに対応した読み取り装置で実現される。メディアは、例えば、コンパクトフラッシュ（登録商標）、スマートメディア、ＰＣカード、メモリースティック、ＳＤカード、ＭｉｎｉＳＤカード、メモリースティックＤＵＯ、ＤＶＤ−Ｒ、ＣＤ―Ｒ等が例示される。また、デジタル画像データを通信方法で取得する場合に、取得手段３２は、赤外線通信、Ｂｌｕｅｔｏｏｔｈ等の通信手段で実現することも可能である。
【００４４】
格納手段３３は、不揮発性の記録媒体若しくは揮発性の記録媒体で実現され、例えば、ＳＤＲＡＭ等が例示される。表示手段３４は、例えば、タッチパネル機能を有する液晶ディスプレイが例示される。
【００４５】
＜インデックスプリント作成動作のフローチャート＞  以下に、インデックスプリントの作成動作について図２のフローチャートを用いて説明する。
【００４６】
（ステップＳ１）端末３０の画面に表示された表示内容から、「注文」を選択する。具体的には、端末３０の表示手段３４がタッチパネル機能有する液晶ディスプレイである場合、画面に表示された「注文」をタッチすることで選択操作が実現できる。また、マウスあるいはキーボード等（不図示）で、クリック或いはキー入力することもできる。この選択により、注文操作の画面に切り換わる。
【００４７】
（ステップＳ２）注文操作の画面上で、「インデックスプリント作成」を選択する。
【００４８】
（ステップＳ３）取得手段３２の挿入部（不図示）にメディアを挿入すると、自動的に、メディアからデジタル画像データが読み取られる（取得される）。また、なお、読み取られたデジタル画像データは、表示手段３４によって、画面上に表示されてもよい。かかる場合に、表示されたデジタル画像データの中からインデックスプリントさせるデジタル画像データを選択でき、また、インデックスプリントに含まれるコマ数を指定することもできる。複数又は複数種のメディアから連続してデジタル画像データを読み取ることも可能である。
【００４９】
（ステップＳ４）読み取られたデジタル画像データは、格納手段３３に格納される。なお、ステップ３とステップ４の動作の順序は特にこの順序に制限されず、逆の順序でもよい。
【００５０】
（ステップＳ５）読み取られたデジタル画像データは、端末通信部３５によって、写真処理装置１０に送信される。
【００５１】
（ステップＳ６）写真処理装置１０の通信部１９は、端末３０から送信されたデジタル画像データを受信する。
【００５２】
（ステップＳ７）ステップＳ６で受信されたデジタル画像データは、メモリ（不図示）又は格納部１３に一旦格納される。
【００５３】
（ステップＳ８）受信されたデジタル画像データは、インデックスプリント作成手段１１ａによって、縮小処理され、所定の位置に配置されて、表示部２１の表示画面に表示される。
【００５４】
（ステップＳ９）インデックスプリント作成手段１１ａは、受信されたデジタル画像データの一部を予め定められた選択規則にしたがって選択する。この選択されたデジタル画像データの一部は、ステップＳ８において表示画面に表示された縮小処理された画像と対応するように配置して表示される。選択された一部は、通常のインデックスプリントで用いられる縮小処理よりも小さい縮小率の縮小処理をすることも可能である。ここで、「選択規則」は、例えば、デジタル画像データ中に人物の顔部が存在すれば、画像中心に最も近い顔部を選択し、顔部が存在しなければ、画像中心部或いはコーナー部を選択するように構成されている。また、例えば、デジタル画像データを周波数分析して、高周波特性或いは低周波特性を有する領域を選択するようにしてもよい。なお、デジタル画像データの一部を選択する場合に、選択規則を予め設定していてもよく、選択時に選択規則を設定するように構成することも可能である。
【００５５】
（ステップＳ１０）画像処理手段１５は、画面に表示された縮小処理されたデジタル画像データとそれに対応するデジタル画像データの一部に基づいてインデックスプリントを作成するように画像処理する。次に、露光処理手段１６は、画像処理されたデータ（露光用画像データ）に基づいて、マガジン収納部２０から供給された写真感光材料に露光処理をする。次に、露光処理された写真感光材料は、現像処理手段１７によって現像処理され、そして、現像処理後の写真感光材料は、乾燥処理手段１８によって乾燥処理され、インデックスプリントとして、写真処理装置１０の排出部から排出される。
【００５６】
排出されたインデックスプリントは、注文者に渡され、注文者は、インデックスプリントにプリントされた、縮小処理された画像とそれに対応する画像の一部から、ピンボケ具合を判断し、所望の画像だけを選択し、注文をする。
【００５７】
＜写真プリントシステムの具体的動作＞
以下に、写真プリントシステムの具体的動作について説明する。図３は、写真プリントシステムを構成する端末３０と写真処理装置１０を示す図である。図３において、端末３０の取得手段３２は、各種メディアからデジタル画像データを取得可能である。
【００５８】
図４は、表示手段３４の画面３４１を示す。表示手段３４は、タッチパネル機能有する液晶ディスプレイである。図４（ａ）に示す「注文」３４１ａを指でタッチすると、画面が図４（ｂ）のように切り換わり、ここで「インデックスプリント作成」をタッチする。次に、図４（ｃ）に示すように画面上に「メディアを挿入してください」のコメントが表示される。この指示に応じて、メディアを挿入すると、自動的にメディアに記憶されたデジタル画像データが取得手段３２によって読み取られ、画面上にデジタル画像データに基づくサムネイル画像が所定の配置で表示される（図４（ｄ））。なお、サムネイル画像（縮小処理後の画像）であることを示すために画像の輪郭を破線で示すが、実際に表示（又はプリント）される画像の輪郭が破線で表示されることではない。以下同様である。
【００５９】
また、読み取られたデジタル画像データは、格納手段３３に格納される。なお、表示されたサムネイル画像からインデックスプリントさせたい画像だけを選択することもできる。また、間違ったデジタル画像データが読み込まれた場合、「キャンセル」を選択し、再度メディアからのデータ取得を繰り返すこともできる。
【００６０】
表示されたサムネイル画像のインデックスプリントを作成する場合、「ＯＫ」３４１ｂを指でタッチする。この操作によって、デジタル画像データは、端末通信部３５によって、写真処理装置１０に送信される。
【００６１】
図５は、送信されるデジタル画像データの一例を示す図である。デジタル画像データに対応して、注文ＩＤ、注文ファイル名、プリントの種別も送信される。注文ＩＤ及び注文ファイル名は、端末３０の制御手段３１によって、インデックスプリント作成を受け付けた日付に基づいて設定される。この注文ＩＤ及び注文ファイル名が印刷された注文受付票が端末３０からプリントされ、注文者は、インデックスプリントの引き換え証明として注文受付票を利用できる。
【００６２】
端末３０から送信されたデジタル画像データは通信部１９によって受信される。インデックスプリント作成手段１１ａは、プリントの種別がインデックスプリントである場合に、そのデジタル画像データを縮小処理する。また、デジタル画像データに人物の顔部が存在すれば、デジタル画像データの中心部に近い人物の顔部を含む範囲を選択し、そうでない場合、デジタル画像データの中心部の所定の範囲を選択する。
【００６３】
インデックスプリント作成手段１１ａは、表示部２１に、縮小処理したデジタル画像データ及びそれに対応するデジタル画像データの一部（顔部を含む範囲若しくは中心部）を表示させる。図６は、表示部２１の表示画面の一例を示す図である。図６に示すように、第１領域２１ａには、縮小処理された画像が表示され、第２領域２１ｂには、デジタル画像データの一部が表示される。そして、第１領域２１ａと第２領域２１ｂは上下の配置で整列され、上の第１領域２１ａの画像とその下の第２領域２１ｂの画像は、同一のデジタル画像データに基づくものである。なお、画面に表示された画像の配列、一コマのサイズは、特に限定されず、適宜設定できる。
【００６４】
画面に表示された画像からインデックスプリントを作成する場合、「ＯＫ」２１ｃを入力手段２２によって選択する。この操作によって、画面上に表示された配列に従い、デジタル画像データを画像処理し、露光処理、現像処理、乾燥処理を経てインデックスプリント６０が作成される。図７は、作成されたインデックスプリントの一例を示す図である。図７に示すように、第１プリント領域６０ａは、第１領域２１ａに相当し、縮小処理された画像がプリントされ、第２プリント領域６０ｂは、第２領域２１ｂに相当し、デジタル画像データの一部がプリントされる。枚数領域６０ｃは、注文する枚数を記入可能な領域を示す。
【００６５】
注文者は、インデックスプリント６０からピンボケ具合を適切に確認でき、所望の画像を選択し、枚数領域６０ｃに必要枚数を書き込める。
【００６６】
そして、注文時に、インデックスプリント６０を写真処理装置１０のオペレータに渡し、オペレータは、インデックスプリント６０に記入された枚数を確認して、必要な画像を判断する。
【００６７】
プリント作成手段１１ｂによって、メモリ（不図示）若しくは格納部１３に記憶されたデジタル画像データを読み出し、表示部２１の表示画面に、サムネイル画像を表示させ、写真プリントする画像をインデックスプリント６０に基づいて選択し、枚数設定も行う。さらに、プレジャッジ手段１１ｃによって、補正データを適宜設定し、プリント作成手段１１ｂは、画像処理手段１５、露光処理手段１６、現像処理手段１７、乾燥処理手段１８等を制御し、写真プリントを作成する。
【００６８】
また、インデックスプリント６０をオペレータに渡さず、注文者が自ら、端末３０を用いて、写真プリントさせる画像を選択できる。図４（ｂ）に示す「通常プリント」を選択すると、格納手段３３からデジタル画像データが読み出され、図４（ｄ）に示すように画面に表示される。そして、注文者は、表示された画像から所望の画像及びその枚数を選択できる。選択した後、写真プリント作成を指示すれば、選択されたデジタル画像データ及びその枚数が端末通信部３５によって送信される。なお、デジタル画像データの変わりにデジタル画像データの識別ＩＤ（不図示）を送信してもよい。
【００６９】
プリント作成手段１１ｂは、端末３０から送信された、選択されたデジタル画像データ及び枚数に基づいて、適宜プレジャッジ処理をした後、写真プリントを作成する。
【００７０】
写真プリント作成後、装置制御部１１が、終了信号を、端末３０に送信し、終了信号に基づいて、格納手段３３に格納されている、同一オーダー内の写真プリントが作成されたデジタル画像データ及びそれに対応するその他のデジタル画像データ、さらに注文枚数等の注文データは、制御手段３１によって削除される。なお、ハードディスク１４に、そのデジタル画像データ、その補正データ、注文に関する情報（例えば、注文者氏名、連絡先、注文ＩＤ、ファイル名、枚数等）が蓄積されてもよい。
【００７１】
以上の実施形態によれば、インデックスプリント作成の指示を端末３０で行い、写真処理装置１０でインデックスプリントの画像データを作成するように構成するものだったが、端末３０側で、インデックスプリントの画像データを作成し、その画像データを写真処理装置１０に送信し、写真処理装置１０は、その画像データをそのまま用いて画像処理以後の処理をしてインデックスプリントを作成することもできる。かかる場合、端末１０の制御手段３１が、インデックスプリント作成手段１１ａの機能を行うように構成できる。
【００７２】
また、端末３０側で、インデックスプリントの画像データを作成し、その画像データを端末３０と接続されるプリンター（不図示）に送信し、当該プリンターによってインデックスプリントを印刷してもよい。プリンターは、高画質印刷（高解像度印刷）可能なプリンターであれば特に制限されない。この構成によれば、写真処理装置１０によってインデックスプリントを作成するよりも、処理時間が短く、注文者を待たせることがなく、写真処理装置１０では、他のプリント処理を行えるので写真処理装置の処理効率を高められる。
【００７３】
また、端末３０で編集操作をしない形で構成し、取得されたデジタル画像データの全てをインデックスプリントする形であれば、端末３０と接続されたプリンターを、プリント作成手段１１ｂを有する写真処理装置１０と別に設けた意味が更に増す。つまり、インデックスプリントで全てのデジタル画像データを瞬時にプリントし、それを写真店に訪れた客の注文票として活用できるため、銀塩式写真処理装置のように、顧客から提示された画像を、好ましい写真プリントとするための編集作業に時間を要する現状の写真処理作業を、注文を終えた後、適切な時間に行うことができる。
【００７４】
さらに、以上の実施形態において、端末３０で取得されたデジタル画像データを端末３０の表示画面に表示させ、インデックスプリントをする画像を選択可能に構成する例を示したが、特にこれに限定されず、例えば、端末３０で取得された同一オーダー内の全てのデジタル画像データに基づいてインデックスプリントを作成するように構成できる。かかる場合、取得された同一オーダー内のデジタル画像データは、写真処理装置１０に送信され、インデックスプリント作成手段１１ａが、この同一オーダー内のデジタル画像データの全てに基づいて、インデックスプリントを作成するように構成される。そして、注文者は、このインデックスプリントを見て、ピンボケ具合も確認し、実際にプリントする画像を選択できる。よって、インデックスプリント選択操作を省け、端末３０における注文者の操作時間を短くできる。
【００７５】
（実施の形態２）
写真処理装置１０は、端末３０の取得手段３２に相当する取得手段をさらに具備する。
この取得手段によって、デジタル画像データが読み取られ、メモリ（不図示）若しくは格納部１３に格納される。そして、インデックスプリント作成手段１１ａによって、インデックスプリントが作成される。インデックスプリントを確認し、注文者が所望の画像及びその注文枚数を選択する。選択された画像と注文枚数に基づいて、プリント作成手段１１ｂによって、写真プリントが作成される。写真プリントが作成された後、装置制御部１１は、メモリ（不図示）若しくは格納部１３に記憶されたデジタル画像データは、削除される。なお、ハードディスク１４に、そのデジタル画像データ、その補正データ、注文に関する情報（例えば、注文者氏名、連絡先、ＩＤ、枚数等）が蓄積されてもよい。
【図面の簡単な説明】
【００７６】
【図１】実施の形態１における写真プリントシステムの構成を示すブロック図
【図２】実施の形態１におけるインデックスプリント作成の動作を説明するフローチャート
【図３】実施の形態１における写真プリントシステムの外観例を示す図
【図４】実施の形態１における端末３０の操作例を説明する図
【図５】実施の形態１におけるデジタル画像データの一例を示す図
【図６】実施の形態１における表示部２１の画面の一例を示す図
【図７】実施の形態１におけるインデックスプリントの一例を示す図
【符号の説明】
【００７７】
１０        写真処理装置
１１        装置制御部
１１ａ      インデックスプリント作成手段
１１ｂ      プリント作成手段
１１ｃ      プレジャッジ手段
１２        フィルムスキャン装置
１３        格納部
１４        ハードディスク
１５        画像処理手段
１６        露光処理手段
１７        現像処理手段
１８        乾燥処理手段
１９        通信部
２０        マガジン収納部
２１        表示部
２２        入力手段
３０        端末
３１        制御手段
３２        取得手段
３３        格納手段
３４        表示手段
３５        端末通信部
【図１】
2007026166.tif 000003
【図２】
2007026166.tif 000004
【図３】
2007026166.tif 000005
【図４】
2007026166.tif 000006
【図５】
2007026166.tif 000007
【図６】
2007026166.tif 000008
【図７】
2007026166.tif 000009